(57)【要約】【課題】操作ボタンを大型化することなく、操作ボタンのストッパーをスイッチの中心近傍に配置することができ、また操作ボタンが高荷重で押された場合にも、過度の押圧で規制し、スイッチ自身に過度の荷重が加わり壊れてしまうことを防止することができる電子機器を提供する。【解決手段】本発明の電子機器は、弾性部に片持ち支持された四角形の操作部と、前記操作部の押圧を検知する四角形の検知部を実装した基板と、を有し、前記操作部は、中央部に、前記検知部を押圧する押圧部と、前記操作部の片持ち支持されている基端部とは反対側の角部に、前記操作部の押圧時に前記基板に当接する当接部と、を備え、前記検知部の各辺は、前記操作部の各辺に対して所定の角度だけ傾いて配置されていることを特徴とする。【選択図】図３
2013125667.tif 000002
【特許請求の範囲】
【請求項１】
弾性部に片持ち支持された四角形の操作部と、
前記操作部の押圧を検知する四角形の検知部を実装した基板と、を有し、
前記操作部は、
中央部に、前記検知部を押圧する押圧部と、
前記操作部の片持ち支持されている基端部とは反対側の角部に、前記操作部の押圧時に前記基板に当接する当接部と、を備え、
前記検知部の各辺は、前記操作部の各辺に対して所定の角度だけ傾いて配置されていることを特徴とする電子機器。
【請求項２】
前記操作部および前記検知部の形状は、ともに正方形であり、
前記所定の角度は、４５度であることを特徴とする請求項１に記載の電子機器。
【発明の詳細な説明】
【技術分野】
【０００１】
本発明は、操作ボタンを備える電子機器に関する。
【背景技術】
【０００２】
ビデオカメラや携帯電話などの電子機器には様々な機能が含まれていることから、それを操作するために多くの操作ボタンを備える。操作ボタンは弾性部によって支持部に連結されており、操作者が操作ボタンを押すと、弾性部がゆるやかな円弧状にたわむとともに、操作ボタンが押された方向に移動して、電子機器内の基板に取り付けられたスイッチが動作するように作用する。
【０００３】
特許文献１に記載されているように、操作ボタンの裏面には、基板の方向に延びたボス状のストッパーが設けられている。ストッパーは、操作ボタンが押されていない状態で、スイッチと取り付けている基板との間に所定の間隔が空くように形成されている。そして、操作ボタンが所定の移動量だけ押しこまれたときに、ストッパーの先端がスイッチが取り付けられた基板と接する。そのため、ストッパーの先端がスイッチが取り付けられた基板に接した状態からさらに大きな荷重で操作ボタンが押された場合には、ストッパーが基板と当接することで操作ボタンが所定の移動量以上に押し込まれないようにしている。これによりスイッチ自身に過度の荷重が加わり壊れてしまうことを防止している。
【先行技術文献】
【特許文献】
【０００４】
【特許文献１】特開平９−１７２２６３号公報
【発明の概要】
【発明が解決しようとする課題】
【０００５】
近年、電子機器の本体が小型化してきているため、操作ボタンを配置するスペースも小さくなってきている。そのため、複数の操作ボタンの大きさを少しでも小さくしたり、隣り合う操作ボタンとの間隔を狭くすることなどが行われてきた。しかしながら、ストッパーは、スイッチをよけた部分で基板に当接する必要があるため、操作ボタンの大きさを小さくすることができなくなってしまう。
【０００６】
そこで、本発明は、操作ボタンを大型化することなく、操作ボタンの裏面のストッパーをスイッチの中心近傍に配置することができる電子機器を提供することを目的とする。
【課題を解決するための手段】
【０００７】
上記目的を達成するための本発明の一側面としての電子機器は、弾性部に片持ち支持された四角形の操作部と、前記操作部の押圧を検知する四角形の検知部を実装した基板と、を有し、前記操作部は、中央部に、前記検知部を押圧する押圧部と、前記操作部の片持ち支持されている基端部とは反対側の角部に、前記操作部の押圧時に前記基板に当接する当接部と、を備え、前記検知部の各辺は、前記操作部の各辺に対して所定の角度だけ傾いて配置されていることを特徴とする。
【発明の効果】
【０００８】
本発明の構成によれば、操作ボタンを大型化することなく、操作ボタンの裏面のストッパーをスイッチの中心近傍に配置することができる。そのため、操作ボタンが高荷重で押された場合にも、過度の押圧を規制し、スイッチに過度の荷重が加わらないようにすることができるためスイッチが壊れてしまうことを防止することができる。
【図面の簡単な説明】
【０００９】
【図１】本発明の電子機器の実施形態の一例であるビデオカメラの表示ユニットが開かれた状態の斜視図である。
【図２】図１のＡ方向から見た操作ボタンを取り除いたビデオカメラの図である。
【図３】図１のＢ部分の拡大図である。
【図４】図３におけるＣ−Ｃ断面図である。
【発明を実施するための形態】
【００１０】
以下に、本発明の好ましい実施の形態を、添付の図面に基づいて詳細に説明する。
【００１１】
図１は、本発明の電子機器の実施形態の一例であるビデオカメラの表示ユニットが開かれた状態の斜視図である。
【００１２】
１１は、ビデオカメラ本体である。１２はレンズの光学ズームを変更するズームレバー、１３はビデオカメラ１１の電源ボタン、１４は動画の撮影を行うためのトリガーボタン、１５は開閉可動な画像を表示する表示ユニットである。１６はバッテリーを取り付けるためのバッテリー収納部、１７はバッテリーをロックするためのバッテリーロックノブであり、ビデオカメラ１１の後面に配置されている。１８は表示ユニット１５を閉じた際に収納される収納部カバー、１９は撮影時の設定メニューなどの機能を操作することができる操作ボタンである。また、ビデオカメラ１１の内部には、画像や音声を記録・再生する記録再生部が設けられている。
【００１３】
図２は、図１のＡ方向から見た操作ボタン１９を取り除いたビデオカメラ１１の図である。
【００１４】
２０は、略四角形のスイッチ（検知部）である。当然、略四角形の中には、正方形も含まれている。２１は、フレキシブル基板であり、操作ボタン１９の各々に対して実装されている。
【００１５】
図３は、図１のＢ部分の拡大図である。
【００１６】
１９ａは操作部、１９ｂは弾性部、１９ｃは押圧部、１９ｄはストッパー（当接部）であり、操作ボタン１９に設けられている。操作部１９ａの形状は、操作ボタン１９自体が小さくなっても、操作部１９ａの面積を大きく取って操作しやすくするため略四角形をしている。また、操作部１９ａは、弾性部１９ｂにより片持ち支持され、操作ボタン１９の他の操作部と連結されている。
【００１７】
スイッチ２０は、操作部１９ａと４５度傾いて配置されるように、フレキシブル基板２１に実装されている。本実施例では、４５度傾いて配置しているが、特に４５度に限定されず、所定の角度だけ傾いて配置してもよい。
【００１８】
図４は、図３の操作ボタン１９をＣ−Ｃ線で切断した状態の断面図である。
【００１９】
押圧部１９ｃは、操作部１９ａの中央部の裏面からスイッチ２０の中心に向けて突出するように設けられている。また、ストッパー１９ｄは、操作部１９ａの裏面からフレキシブル基板２１に向けて突出するように設けられている。
【００２０】
前述したように、操作部１９ａとスイッチ２０は、傾いて配置されているため、操作部１９ａが弾性部１９ｂに接続される基端部とは反対側の略四角形の角部にストッパー１９ｄを配置するスペースが生まれる。ストッパー１９ｄをこのスペースに配置することで操作部１９ａを押しこんだ時に弾性部１９ｂが撓む動作に影響が少なくすることができる。
【００２１】
操作者が操作部１９ａを押しこむと、押圧部１９ｃがスイッチ２０を押しこむ。スイッチ２０は押し込まれたことを検知し、所定の信号をビデオカメラ１１の制御部に送る。さらに強く押しこんだ場合、ストッパー１９ｄがフレキシブル基板２１に当接する。フレキシブル基板２１の裏にはステンレスの金属板でできた押さえ板２２が存在し、フレキシブル基板２１にかかる力を受ける。つまり、ストッパー１９ｄが押圧部１９ｃに近いため、押圧時に押圧部１９ｃがスイッチ２０に対して過度の荷重を加えることはなくスイッチ２０が破壊することを防いでいる。
【００２２】
以上、本発明の好ましい実施形態について説明したが、本発明はこれらの実施形態に限定されず、その要旨の範囲内で種々の変形及び変更が可能である。
【符号の説明】
【００２３】
１１    ビデオカメラ
１９ａ  操作部
１９ｂ  弾性部
１９ｃ  押圧部
１９ｄ  ストッパー
２０    スイッチ
２１    フレキシブル基板
【図１】
2013125667.tif 000003
【図２】
2013125667.tif 000004
【図３】
2013125667.tif 000005
【図４】
2013125667.tif 000006